【手続補正書】
【提出日】平成19年7月13日(2007.7.13)
【手続補正１】
【補正対象書類名】明細書
【補正対象項目名】発明の名称
【補正方法】変更
【補正の内容】
【発明の名称】姿勢位置検出装置及び移動体姿勢検出装置
【手続補正２】
【補正対象書類名】明細書
【補正対象項目名】特許請求の範囲
【補正方法】変更
【補正の内容】
【特許請求の範囲】
【請求項１】
測定対象物に装着または内蔵され、該測定対象物の移動に伴つて移動して、該測定対象物の姿勢位置情報を検出する姿勢位置検出装置において、
前記装置周辺を撮像して画像情報を取得可能な画像情報取得手段と、
上記画像情報取得手段により取得した異なる時点における上記画像情報を比較解析して、装置の傾きを表わす角度情報と、前記装置の位置移動を表わす並進位置情報を検出する画像解析手段と、
上記画像情報を用いずに、角度情報を検出可能な角度情報検出手段と、
上記画像情報を用いずに、並進位置情報を検出可能な並進位置情報検出手段と、
上記画像解析手段よりの角度情報及び並進位置情報と、上記角度情報検出手段よりの角度情報と、上記並進位置情報検出手段よりの並進位置情報とを用いて、測定対象物の角度情報と並進位置情報とを決定する姿勢位置決定手段と、
を具備することを特徴とする姿勢位置検出装置。
【請求項２】
上記角度情報検出手段は、空間の直交する３軸上において角速度情報を検出する角速度検出手段と、上記角速度情報より装置の角度情報を演算する第１の姿勢位置演算手段とを含み、
上記並進位置情報検出手段は、空間の直交する３軸上において並進方向の加速度情報を検出する加速度検出手段と、上記加速度情報より装置の角度情報と並進位置情報を演算する第２の姿勢位置演算手段とを含み、
上記画像解析手段は、撮像した画像を時系列に入力する画像入力手段と、入力された画像の中より特徴点を抽出し、座標情報を含むその特徴点情報を記録し、以前に記録した特徴点情報を検索可能な特徴点検出手段と、特徴点の位置の変位より、装置の角度情報と並進位置情報を演算する第３の姿勢位置演算手段とを含み、
上記姿勢位置決定手段は、上記角速度検出手段または上記加速度検出手段の出力より前記装置が停止しているか否かを判断し、この判断に基づいて上記第１の姿勢位置演算手段の演算方法または上記第２の姿勢位置演算手段の演算方法を変更する情報を出力する停止判断手段と、上記第１の姿勢位置演算手段と上記第２の姿勢位置演算手段と上記第３の姿勢位置演算手段よりの情報を演算する補正演算手段とを含む、
ことを特徴とする請求項１記載の姿勢位置検出装置。
【請求項３】
測定対象物に装着または内蔵され、該測定対象物の移動に伴つて移動して、該測定対象物の姿勢位置情報を検出する姿勢位置検出装置において、
前記装置の姿勢位置情報を検出する検出手段と、
前記装置周辺を撮像して画像情報を取得可能な画像取得手段と、
上記画像取得手段により取得した画像情報より特徴点を抽出する特徴点抽出手段と、
上記画像取得手段により取得した時点の異なる画像情報間における上記特徴点の位置の変化より第２の姿勢位置情報を演算する姿勢位置演算手段と、
上記姿勢位置情報を上記第２の姿勢位置情報で補正することにより、姿勢位置情報を決定する姿勢位置決定手段と、
を具備することを特徴とする姿勢位置検出装置。
【請求項４】
上記姿勢位置決定手段は、
上記角度情報検出手段よりの角度情報を上記画像解析手段よりの角度情報を用いて補正し、上記並進位置情報検出手段よりの並進位置情報を上記画像解析手段よりの並進位置情報を用いて補正することによって、前記測定対象物の角度情報と並進位置情報を決定することを特徴とする請求項１または２記載の姿勢位置検出装置。
【請求項５】
測定対象物に装着または内蔵され、該測定対象物の移動に伴って移動して、該測定対象物の姿勢位置情報を検出する姿勢位置検出装置において、
上記装置周辺を撮像して画像情報を取得可能な画像情報取得手段と、
上記画像情報を解析して、装置の傾きを表わす角度情報を検出する画像解析手段と、
上記画像情報を用いずに、角度情報を検出可能な角度情報検出手段と、
上記画像解析手段よりの角度情報と、上記角度情報検出手段よりの角度情報を用いて、測定対象物の角度情報を演算する姿勢位置演算手段と、
を具備することを特徴とする姿勢位置検出装置。
【請求項６】
測定対象物に装着または内蔵され、該測定対象物の移動に伴って移動して、該測定対象物の姿勢情報を検出する姿勢検出装置において、
前記装置周辺を撮像して画像情報を取得可能な画像情報取得手段と、
上記画像情報を解析して、前記装置の位置移動を表わす並進位置情報を検出する画像解析手段と、
上記画像情報を用いずに、並進位置情報を検出可能な並進位置情報検出手段と、
上記画像解析手段よりの並進位置情報と、上記並進位置情報検出手段よりの並進位置情報とを用いて、前記測定対象物の並進位置情報を演算する姿勢位置演算手段と、
を具備することを特徴とする姿勢位置検出装置。
【請求項７】
移動体の姿勢を検出する装置において、
前記移動体の空間上の３軸の姿勢角度情報を算出する角度検出手段と、
前記移動体の空間上の３軸の並進位置情報を算出する並進位置検出手段と、
前記移動体自体に設置され、前記移動体の周りの画像から移動体の並進と姿勢の６軸の画像姿勢情報を算出する画像処理姿勢検出手段と、
前記角度検出手段からの姿勢角度情報と、前記並進位置検出手段からの並進位置情報と、前記画像処理姿勢検出手段からの画像姿勢情報のそれぞれ情報により空間上での前記移動体の６軸姿勢情報を算出する空間姿勢演算手段と、
を具備することを特徴とする移動体姿勢検出装置。
【請求項８】
前記角度検出手段は、
直交する３軸上の空間の角速度情報を検出する角速度検出手段と、
前記角度情報より前記移動体の姿勢角度情報を演算する第１姿勢演算手段とで構成され、
前記並進位置検出手段は、
直交する３軸上の空間の並進方向の加速度情報を検出する加速度検出手段と、
前記加速度情報より前記移動体の傾き情報と並進情報を演算する第２姿勢演算手段とで構成され、
前記画像処理姿勢検出手段は、
前記装置周辺の画像を時系列に入力する画像入力手段と、
この画像入力手段によって入力された画像の中から複数の特徴点を抽出して、それらの特徴点を記憶すると共に、以前に記憶されている特徴点の座標等の特徴点情報を探索検出する特徴点検出手段と、
前記特徴点の２次元画像の中での変位から画像の動きベクトルを検出する動きベクトル検出手段と、
前記姿勢角度情報と前記並進情報と前記特徴点の情報から移動体の回転方向と並進方向の画像姿勢情報を演算する第３姿勢演算手段とで構成され、
前記空間姿勢演算手段は、
前記動きベクトル検出手段からの情報と前記角速度検出手段と前記加速度検出手段とにより前記第１姿勢演算手段の姿勢演算方法と前記第２姿勢演算手段の姿勢演算方法とを変更する情報を送る停止判定制御手段と、
前記第１姿勢演算手段と第２姿勢演算手段と第３姿勢演算手段それぞれからの情報を演算する補正演算手段と、
で構成されることを特徴とする請求項７に記載の移動体姿勢検出装置。
【請求項９】
高速に取り込まれ処理される前記角速度検出手段の姿勢角度情報と前記加速度検出手段からの並進情報を前記移動体姿勢検出装置の６軸姿勢情報として利用すると共に、上記姿勢角度情報や変位情報よりも低速に演算処理される画像処理姿勢検出手段の画像姿勢情報を上記６軸姿勢情報の基準参照用の補正情報として利用することを特徴とする請求項７または８に記載の移動体姿勢検出装置。
【請求項１０】
前記角速度検出手段と、前記加速度検出手段と、画像入力手段の画像入力方向と取付位置座標との取付関係であるカメラ姿勢パラメータ情報を記憶した画像ベクトル推定手段を備えたことを特徴とする請求項７または８に記載の移動体姿勢検出装置。
【請求項１１】
前記特徴点検出手段は、
前記画像入力手段が画像を入力した時点での前記特徴点検出手段の特徴点情報に、前記第１姿勢演算手段での姿勢角度情報と、前記第２姿勢演算手段での並進情報とを一組の特徴点姿勢情報として記憶すると共に、同一特徴点に対する異なった位置で前記並進情報がある閾値以上の値を持ったものの特徴点姿勢情報を優先的に記憶する特徴点姿勢情報記憶機能を有し、
前記第３姿勢演算手段は、
２点以上の前記特徴点姿勢情報より特徴点の固定座標空間の原点からの座標に近似補正して前記画像姿勢情報を求めることを特徴とする請求項７乃至１０のいずれか一に記載の移動体姿勢検出装置。
【請求項１２】
前記補正演算手段は、
前記第３姿勢演算手段で近似補正して求められた画像姿勢情報を参照基準情報とし、前記第１姿勢演算手段での姿勢角度情報と前記第２姿勢演算手段での並進情報とが前記参照基準情報に一致するように補正すると共に、この補正値を停止中には補正せず、動作中にその動作データの変化データの値によってその補正幅を調整することを特徴とする請求項１１に記載の移動体姿勢検出装置。
【請求項１３】
前記特徴点検出手段は、
同一特徴点に対する同じ位置で前記並進情報がある閾値以下の値を持ったもので異なった角度で前記並進情報がある閾値以上の値を持ったものの特徴点姿勢情報を角度の参照基準情報として利用し、
前記補正演算手段は、
この角度の参照基準情報に一致するように姿勢角度情報のみ補正することを特徴とする請求項１１に記載の移動体姿勢検出装置。
【請求項１４】
前記画像ベクトル推定手段からの情報により、取り込まれた画像データの特徴点の移動位置と回転角を推定することを特徴とする請求項１０乃至１３のいずれか一に記載の移動体姿勢検出装置。
【請求項１５】
前もって移動体の周りの画像を入力し、そのときの前記特徴点検出手段の特徴点姿勢情報を記憶し、
次からは前記第１姿勢演算手段と第２姿勢演算手段との情報より特徴点抽出の処理を行わずに、前記記憶情報を利用すると共に、
複数の記憶した特徴点姿勢情報をもとに前記第３姿勢演算手段により、特徴点の固定座標空間の原点からの座標に近似補正した参照基準情報を求めて記憶しておくことを特徴とする請求項１０乃至１４のいずれか一に記載の移動体姿勢検出装置。
【請求項１６】
前記動きベクトル検出手段は、
処理された情報の中から前記画像ベクトル推定手段の情報との推定による動きベクトルのみを選択出力することを特徴とする請求項１０乃至１５のいずれか一に記載の移動体姿勢検出装置。
【請求項１７】
前記特徴点検出手段で特徴点が検出されないとき、あるいは前記動きベクトル検出手段の情報が前記画像ベクトル椎定手段の情報による動きベクトルとの類似度がある閾値以下のとき、検出不能と判定し、後処理の前記第３姿勢演算手段及び補正演算手段にはその情報を使わないことを特徴とする請求項１６に記載の移動体姿勢検出装置。
【請求項１８】
前記動きベクトル検出手段が検出不能と判定したとき、その情報を使用者に知らせる手段をさらに備えたことを特徴とする請求項１７に記載の移動体姿勢検出装置。
【請求項１９】
前記画像入力手段の入力方向を変更することが可能なカメラ取付方向変更手段をさらに備えたことを特徴とする請求項７乃至１５のいずれか一に記載の移動体姿勢検出装置。
【請求項２０】
変更されたカメラ取付方向情報を前記画像ベクトル推定手段に知らせるカメラ姿勢パラメータ保持手段をさらに備えたことを特徴とする請求項１９に記載の移動体姿勢検出装置。
【請求項２１】
前記画像入力手段の入力方向が変更されたことを検知し、その情報をカメラ姿勢保持手段へ転送するカメラ姿勢検知手段をさらに備えたことを特徴とする請求項２０に記載の移動体姿勢検出装置。
【請求項２２】
移動体を運動をさせたときの前記第１姿勢演算手段の情報と前記第２姿勢演算手段の情報と前記第３手段姿勢演算手段の情報とによりカメラ姿勢パラメータを演算し、その情報を前記カメラ姿勢パラメータ保持手段に送るカメラ姿勢パラメータ演算手段をさらに備えたことを特徴とする請求項２１に記載の移動体姿勢検出装置。
【請求項２３】
ある特定のマークに対しての特徴点を予め記憶した固定マーク情報記憶手段と、
前記特定のマークに対してのみのテンプレートマッチングを行うように指示する固定マーク指示手段と、
をさらに備えたことを特徴とする請求項７乃至２２のいずれか一に記載の移動体姿勢検出装置。
【請求項２４】
前記固定マーク情報記憶手段に対して、前記画像入力手段により入力された画像デ一タを登録することを特徴とする請求項２３に記載の移動体姿勢検出装置。
【請求項２５】
前記画像入力手段による画像入力範囲を照射するように配置された赤外線発光手段をさらに備えたことを特徴とする請求項７乃至２４のいずれか一に記載の移動体姿勢検出装置。
【請求項２６】
前記画像入力手段から前記特徴点検出手段と前記動きベクトル検出手段までを人工網膜チップにより構成したことを特徴とする請求項７乃至２５のいずれか一に記載の移動体姿勢検出装置。
【手続補正３】
【補正対象書類名】明細書
【補正対象項目名】００４９
【補正方法】変更
【補正の内容】
【００４９】
また、この（３）の発明によれば、２次元画像処理から求められた特徴点情報にはカメラの姿勢パラメータ情報が含まれるため、特徴点情報を固定座標原点からの情報に変換して保存しておくことにより、角速度検出手段の姿勢角度情報とか速度検出手段からの並進情報を参照基準情報と比較するときの処理が簡単になり、処理が高速になる。
また、本発明によると、上記課題を解決するために、
（４）  上記姿勢位置決定手段は、
上記角度情報検出手段よりの角度情報を上記画像解析手段よりの角度情報を用いて補正し、上記並進位置情報検出手段よりの並進位置情報を上記画像解析手段よりの並進位置情報を用いて補正することによって、前記測定対象物の角度情報と並進位置情報を決定することを特徴とする（１）または（２）記載の姿勢位置検出装置が提供される。
また、本発明によると、上記課題を解決するために、
（５）  測定対象物に装着または内蔵され、該測定対象物の移動に伴って移動して、該測定対象物の姿勢位置情報を検出する姿勢位置検出装置において、
上記装置周辺を撮像して画像情報を取得可能な画像情報取得手段と、
上記画像情報を解析して、装置の傾きを表わす角度情報を検出する画像解析手段と、
上記画像情報を用いずに、角度情報を検出可能な角度情報検出手段と、
上記画像解析手段よりの角度情報と、上記角度情報検出手段よりの角度情報を用いて、測定対象物の角度情報を演算する姿勢位置演算手段と、
を具備することを特徴とする姿勢位置検出装置が提供される。
また、本発明によると、上記課題を解決するために、
（６）  測定対象物に装着または内蔵され、該測定対象物の移動に伴って移動して、該測定対象物の姿勢情報を検出する姿勢検出装置において、
前記装置周辺を撮像して画像情報を取得可能な画像情報取得手段と、
上記画像情報を解析して、前記装置の位置移動を表わす並進位置情報を検出する画像解析手段と、
上記画像情報を用いずに、並進位置情報を検出可能な並進位置情報検出手段と、
上記画像解析手段よりの並進位置情報と、上記並進位置情報検出手段よりの並進位置情報とを用いて、前記測定対象物の並進位置情報を演算する姿勢位置演算手段と、
を具備することを特徴とする姿勢位置検出装置が提供される。
また、本発明によると、上記課題を解決するために、
（７）  移動体の姿勢を検出する装置において、
前記移動体の空間上の３軸の姿勢角度情報を算出する角度検出手段と、
前記移動体の空間上の３軸の並進位置情報を算出する並進位置検出手段と、
前記移動体自体に設置され、前記移動体の周りの画像から移動体の並進と姿勢の６軸の画像姿勢情報を算出する画像処理姿勢検出手段と、
前記角度検出手段からの姿勢角度情報と、前記並進位置検出手段からの並進位置情報と、前記画像処理姿勢検出手段からの画像姿勢情報のそれぞれ情報により空間上での前記移動体の６軸姿勢情報を算出する空間姿勢演算手段と、
を具備することを特徴とする移動体姿勢検出装置が提供される。
この（７）の発明は、第１の実施形態が対応する。
この（７）の発明によれば、参照点をもたず、空間内での相対的な姿勢変化や並進変位情報を検出する角度検出手段と並進位置検出手段の情報に対して、被計測移動体に対する空間上での絶対的な参照点を持つことが可能な画像処理姿勢検出手段との情報を、関連づけることにより、空間上の絶対参照点に対する姿勢を求めることが可能となる。
また、本発明によると、上記課題を解決するために、
（８）  前記角度検出手段は、
直交する３軸上の空間の角速度情報を検出する角速度検出手段と、
前記角度情報より前記移動体の姿勢角度情報を演算する第１姿勢演算手段とで構成され、
前記並進位置検出手段は、
直交する３軸上の空間の並進方向の加速度情報を検出する加速度検出手段と、
前記加速度情報より前記移動体の傾き情報と並進情報を演算する第２姿勢演算手段とで構成され、
前記画像処理姿勢検出手段は、
前記装置周辺の画像を時系列に入力する画像入力手段と、
この画像入力手段によって入力された画像の中から複数の特徴点を抽出して、それらの特徴点を記憶すると共に、以前に記憶されている特徴点の座標等の特徴点情報を探索検出する特徴点検出手段と、
前記特徴点の２次元画像の中での変位から画像の動きベクトルを検出する動きベクトル検出手段と、
前記姿勢角度情報と前記並進情報と前記特徴点の情報から移動体の回転方向と並進方向の画像姿勢情報を演算する第３姿勢演算手段とで構成され、
前記空間姿勢演算手段は、
前記動きベクトル検出手段からの情報と前記角速度検出手段と前記加速度検出手段とにより前記第１姿勢演算手段の姿勢演算方法と前記第２姿勢演算手段の姿勢演算方法とを変更する情報を送る停止判定制御手段と、
前記第１姿勢演算手段と第２姿勢演算手段と第３姿勢演算手段それぞれからの情報を演算する補正演算手段と、
で構成されることを特徴とする（７）に記載の移動体姿勢検出装置が提供される。
この（８）の発明によれば、角速度検出手段より角度を検出するとき及び加速度検出手段で並進位置を検出するときの角速度及び中間データの速度データを画像処理のための補助データとして利用することができ、画像処理の計算負荷を減らす効果があると共に、画像処理のみによる装置に比較して演算処理の負荷が小さくなるため、高速処理が可能であり、また低速の処理系で構成することができ、更に、画像処理での動きベクトルとの比較により停止状態を判定することでジャイロのドリフトなどを補正することができる。
また、その他の効果としては移動体の中においても移動体に対する相対的な姿勢を検出することができる。
また、本発明によると、上記課題を解決するために、
（９）  高速に取り込まれ処理される前記角速度検出手段の姿勢角度情報と前記加速度検出手段からの並進情報を前記移動体姿勢検出装置の６軸姿勢情報として利用すると共に、上記姿勢角度情報や変位情報よりも低速に演算処理される画像処理姿勢検出手段の画像姿勢情報を上記６軸姿勢情報の基準参照用の補正情報として利用することを特徴とする（７）または（８）に記載の移動体姿勢検出装置が提供される。
この（９）の発明によれば、画像処理による姿勢演算処理時間に比べて高速でしかも演算負荷の少ない角速度検出手段と加速度検出手段からの情報を本移動体姿勢検出装置の６軸姿勢情報として利用し、画像姿勢検出手段からの情報は固定空間から得られた参照基準情報として前記姿勢情報を補正するために使用することによって６軸姿勢情報としては高速に検出することができると共に、画像姿勢検出手段による基準点情報で定期的に修正することでその誤差を補正することが可能となる。
また、本発明によると、上記課題を解決するために、
（１０）  前記角速度検出手段と、前記加速度検出手段と、画像入力手段の画像入力方向と取付位置座標との取付関係であるカメラ姿勢パラメータ情報を記憶した画像ベクトル推定手段を備えたことを特徴とする（７）または（８）に記載の移動体姿勢検出装置が提供される。
この（１０）の発明によれば、角速度検出手段からの角速度情報或いは角度情報と、加速度検出手段からの加速度情報あるいは並進情報により椎定で求められる特徴点の動きあるいは画像ベクトルの動きなどの他のいくつかの処理の中で利用される情報を予め計算しておくことで、演算負荷を減らすことが可能となる。
また、本発明によると、上記課題を解決するために、
（１１）  前記特徴点検出手段は、
前記画像入力手段が画像を入力した時点での前記特徴点検出手段の特徴点情報に、前記第１姿勢演算手段での姿勢角度情報と、前記第２姿勢演算手段での並進情報とを一組の特徴点姿勢情報として記憶すると共に、同一特徴点に対する異なった位置で前記並進情報がある閾値以上の値を持ったものの特徴点姿勢情報を優先的に記憶する特徴点姿勢情報記憶機能を有し、
前記第３姿勢演算手段は、
２点以上の前記特徴点姿勢情報より特徴点の固定座標空間の原点からの座標に近似補正して前記画像姿勢情報を求めることを特徴とする（７）乃至（１０）のいずれか一に記載の移動体姿勢検出装置が提供される。
この（１１）の発明によれば、同一特徴点に対する座標情報を求める場合、並進情報が大きいほど精度が上がり、また測定データ数が多いほど誤差を低減することができると共に、特徴点の固定空間上での求める座標情報の誤差を減らすことが可能となり、更に、２次元画像処理から求められた特徴点情報にはカメラの姿勢パラメータ情報が含まれるため、特徴点情報を固定座標原点からの情報に変換して保存しておくことで角速度検出手段の姿勢角度情報とか速度検出手段からの並進情報を参照基準情報と比較するときの処理が簡単になり、処理が高速になる。
また、本発明によると、上記課題を解決するために、
（１２）  前記補正演算手段は、
前記第３姿勢演算手段で近似補正して求められた画像姿勢情報を参照基準情報とし、前記第１姿勢演算手段での姿勢角度情報と前記第２姿勢演算手段での並進情報とが前記参照基準情報に一致するように補正すると共に、この補正値を停止中には補正せず、動作中にその動作データの変化データの値によってその補正幅を調整することを特徴とする（１１）に記載の移動体姿勢検出装置が提供される。
この（１２）の発明によれば、参照基準情報を複数の測定点から近似補間した情報より求めることで、画像処理による誤差や、角速度検出手段や加速度検出手段からの情報による誤差を減らすことが可能となり、角速度検出手段の姿勢角度情報とか速度検出手段からの並進情報を、また誤差補正に際してはこのようにすることでＶＲ的な表示を観察しているときに操作者の意志に関わらず勝手に映像が動くこともなく、また動作中に誤差がキャンセルされることで、操作者にはその補正による動きを判り難くするという効果がある。
また、本発明によると、上記課題を解決するために、
（１３）  前記特徴点検出手段は、
同一特徴点に対する同じ位置で前記並進情報がある閾値以下の値を持ったもので異なった角度で前記並進情報がある閾値以上の値を持ったものの特徴点姿勢情報を角度の参照基準情報として利用し、
前記補正演算手段は、
この角度の参照基準情報に一致するように姿勢角度情報のみ補正することを特徴とする（１１）に記載の移動体姿勢検出装置が提供される。
この（１３）の発明によれば、ＶＲ的な仮想表示システムでは並進による動作より回転中心の動きの方が多いため、並進情報が大きい場合のデータだけではデータ効率が悪くなるが、並進がゼロのときの角度情報はそのままジャイロ情報の角度情報の参照基準情報となるため、演算処理を高速にすることができる。
また、本発明によると、上記課題を解決するために、
（１４）  前記画像ベクトル推定手段からの情報により、取り込まれた画像データの特徴点の移動位置と回転角を推定することを特徴とする（１０）乃至（１３）に記載の移動体姿勢検出装置が提供される。
この（１４）の発明によれば、カメラ取付状態が変わつても特徴点探索のためのマッチング領域の予測ができ、２次元走査回数やアフィン変換等の画像処理の演算を減らすことができ、カルマンフィルタなどによる探策領域の予測方式より、特徴点処理を簡単に高速化することができる。
また、本発明によると、上記課題を解決するために、
（１５）  前もって移動体の周りの画像を入力し、そのときの前記特徴点検出手段の特徴点姿勢情報を記憶し、
次からは前記第１姿勢演算手段と第２姿勢演算手段との情報より特徴点抽出の処理を行わずに、前記記憶情報を利用すると共に、
複数の記憶した特徴点姿勢情報をもとに前記第３姿勢演算手段により、特徴点の固定座標空間の原点からの座標に近似補正した参照基準情報を求めて記憶しておくことを特徴とする（１０）乃至（１４）に記載の移動体姿勢検出装置が提供される。
この（１５）の発明によれば、特徴点の固定空間の座標を予め求めるモードで測定しておくことで、角速度検出手段や加速度検出手段からの情報のドリフトや誤差の発生が少ない間で座標情報を特定できるため、より精度を上げることができると共に、抽出処理を簡略化することができるため、画像処理においてより演算負荷を少なくすることが可能となり、またより高速化を計ることができる。
また、本発明によると、上記課題を解決するために、
（１６）  前記動きベクトル検出手段は、
処理された情報の中から前記画像ベクトル推定手段の情報との推定による動きベクトルのみを選択出力することを特徴とする（１０）乃至（１５）のいずれか一に記載の移動体姿勢検出装置が提供される。
この（１６）の発明によれば、画像の中で固定物体以外の動体による動きベクトルが存在したときの判定条件にジャイロデータを利用することで信頼性が上がる。
また、本発明によると、上記課題を解決するために、
（１７）  前記特徴点検出手段で特徴点が検出されないとき、あるいは前記動きベクトル検出手段の情報が前記画像ベクトル椎定手段の情報による動きベクトルとの類似度がある閾値以下のとき、検出不能と判定し、後処理の前記第３姿勢演算手段及び補正演算手段にはその情報を使わないことを特徴とする（１６）に記載の移動体姿勢検出装置が提供される。
この（１７）の発明によれば、運動物体がカメラの直ぐ前を横切ったり、壁や天井などの特徴点が見つからないような画像が入力されたとき等の動きベクトルが測定できないとき、ジャイロデータのみとすることで、画像処理のみによる装置に比較して測定てきなくなる条件を少なくでき、常にどの様な条件でも姿勢を検出し続けることができる。
また、本発明によると、上記課題を解決するために、
（１８）  前記動きベクトル検出手段が検出不能と判定したとき、その情報を使用者に知らせる手段をさらに備えたことを特徴とする（１７）に記載の移動体姿勢検出装置が提供される。
この（１８）の発明によれば、前記理由で検出不能となったとき、使用者に知らせることで画像処理状態を知ることができ、ジャイロのドリフトなどによる誤差が発生する状況や要因を減らすことができる。
また、本発明によると、上記課題を解決するために、
（１９）  前記画像入力手段の入力方向を変更することが可能なカメラ取付方向変更手段をさらに備えたことを特徴とする（７）乃至（１５）のいずれか一に記載の移動体姿勢検出装置が提供される。
この（１９）の発明によれば、現在の環境の中で検出に適した方向にカメラを向けることで、動体の少ない固定画像情報が多い画像処埋による条件の良い方向へ向けることができる。
また、本発明によると、上記課題を解決するために、
（２０）  変更されたカメラ取付方向情報を前記画像ベクトル推定手段に知らせるカメラ姿勢パラメータ保持手段をさらに備えたことを特徴とする（１９）に記載の移動体姿勢検出装置が提供される。
この（２０）の発明によれば、使用している環境下で測定に良い条件の画像が得られる方向に向けた場合の姿勢パラメータを設定することが可能となる。
また、本発明によると、上記課題を解決するために、
（２１）  前記画像入力手段の入力方向が変更されたことを検知し、その情報をカメラ姿勢保持手段へ転送するカメラ姿勢検知手段をさらに備えたことを特徴とする（２０）に記載の移動体姿勢検出装置が提供される。
この（２１）の発明によれば、傾斜センサなどをカメラユニットに組み込むことで、取付方向を自動的に検出し設定を自動的に行うことができるため、使用者への負担を減らすことができる。
また、本発明によると、上記課題を解決するために、
（２２）  移動体を運動をさせたときの前記第１姿勢演算手段の情報と前記第２姿勢演算手段の情報と前記第３手段姿勢演算手段の情報とによりカメラ姿勢パラメータを演算し、その情報を前記カメラ姿勢パラメータ保持手段に送るカメラ姿勢パラメータ演算手段をさらに備えたことを特徴とする（２１）に記載の移動体姿勢検出装置が提供される。
この（２２）の発明によれば、カメラ取り付け方向変更手段に関してはより自由度のある方法を用いることができ、カメラ方向の設定もより自由度が増し、どのような方向に向けてもキャリブレーションをすれば使うことができるようになると共に、個人差などの誤差も解消することができ、またカメラ姿勢検知手段などは不要となる。
また、本発明によると、上記課題を解決するために、
（２３）  ある特定のマークに対しての特徴点を予め記憶した固定マーク情報記憶手段と、
前記特定のマークに対してのみのテンプレートマッチングを行うように指示する固定マーク指示手段と、
をさらに備えたことを特徴とする（７）乃至（２２）のいずれか一に記載の移動体姿勢検出装置が提供される。
この（２３）の発明によれば、特徴点抽出処理を省略することができるため、画像処理においてより演算負荷を少なくすることが可能となり、またより高速化を計ることができると共に、記憶メモリを多く必要としないのでシステム構成をより簡単にすることができる。
また、本発明によると、上記課題を解決するために、
（２４）  前記固定マーク情報記憶手段に対して、前記画像入力手段により入力された画像デ一タを登録することを特徴とする（２３）に記載の移動体姿勢検出装置が提供される。
この（２４）の発明によれば、特徴点抽出処理を省略することができるため、画像処理においてより演算負荷を少なくする事が可能となり、またより高速化を計ることができると共に、画像処理による安定的な信号を得たいときには、識別しやすいマーカーなどを配置することでより精度をあげることができ、記憶メモリを多く必要としないのでシステム構成をより簡単にすることができ、更に、個人でマークを製作したり、特別なマークを設置することもなく、使用環境内にある画像をマークとして登録することが可能なことで、使用環境内における周辺環境の設計の自由度が増し、より利便性を向上することができる。
また、本発明によると、上記課題を解決するために、
（２５）  前記画像入力手段による画像入力範囲を照射するように配置された赤外線発光手段をさらに備えたことを特徴とする（７）乃至（２４）のいずれか一に記載の移動体姿勢検出装置が提供される。
この（２５）の発明によれば、夜間や暗い場所でも画像入力処理が可能となるので、夜間や暗い場所などで、照明器具を使用しない環境でも装置を使用することが可能となる。
また、本発明によると、上記課題を解決するために、
（２６）  前記画像入力手段から前記特徴点検出手段と前記動きベクトル検出手段までを人工網膜チップにより構成したことを特徴とする（７）乃至（２５）のいずれか一に記載の移動体姿勢検出装置が提供される。
この（２６）の発明によれば、演算処理のための処理系もより低価格で汎用的な処理システムで構成することが可能となり、更に、このような構成とすることでシステムの小型化、低価格化、高速化、低消費電力化を計ることが可能となる。
【手続補正４】
【補正対象書類名】明細書
【補正対象項目名】０１９６
【補正方法】変更
【補正の内容】
【０１９６】
また、図９は、周辺画像の撮像手段であるカメラ６２を操作者の頭上方向に向けた場合を例示する図である。
そして、上述したような実施の形態で示した本発明には、特許請求の範囲に示した請求項１乃至２６に記載されているような発明が含まれている。
【手続補正５】
【補正対象書類名】明細書
【補正対象項目名】０１９７
【補正方法】削除
【補正の内容】
【手続補正６】
【補正対象書類名】明細書
【補正対象項目名】０１９８
【補正方法】削除
【補正の内容】
【手続補正７】
【補正対象書類名】明細書
【補正対象項目名】０１９９
【補正方法】削除
【補正の内容】
【手続補正８】
【補正対象書類名】明細書
【補正対象項目名】０２００
【補正方法】削除
【補正の内容】
【手続補正９】
【補正対象書類名】明細書
【補正対象項目名】０２０１
【補正方法】削除
【補正の内容】
【手続補正１０】
【補正対象書類名】明細書
【補正対象項目名】０２０２
【補正方法】削除
【補正の内容】
【手続補正１１】
【補正対象書類名】明細書
【補正対象項目名】０２０３
【補正方法】削除
【補正の内容】
【手続補正１２】
【補正対象書類名】明細書
【補正対象項目名】０２０４
【補正方法】削除
【補正の内容】
【手続補正１３】
【補正対象書類名】明細書
【補正対象項目名】０２０５
【補正方法】削除
【補正の内容】
【手続補正１４】
【補正対象書類名】明細書
【補正対象項目名】０２０６
【補正方法】削除
【補正の内容】
【手続補正１５】
【補正対象書類名】明細書
【補正対象項目名】０２０７
【補正方法】削除
【補正の内容】
【手続補正１６】
【補正対象書類名】明細書
【補正対象項目名】０２０８
【補正方法】削除
【補正の内容】
【手続補正１７】
【補正対象書類名】明細書
【補正対象項目名】０２０９
【補正方法】削除
【補正の内容】
【手続補正１８】
【補正対象書類名】明細書
【補正対象項目名】０２１０
【補正方法】削除
【補正の内容】
【手続補正１９】
【補正対象書類名】明細書
【補正対象項目名】０２１１
【補正方法】削除
【補正の内容】
【手続補正２０】
【補正対象書類名】明細書
【補正対象項目名】０２１２
【補正方法】削除
【補正の内容】
【手続補正２１】
【補正対象書類名】明細書
【補正対象項目名】０２１３
【補正方法】削除
【補正の内容】
【手続補正２２】
【補正対象書類名】明細書
【補正対象項目名】０２１４
【補正方法】削除
【補正の内容】
【手続補正２３】
【補正対象書類名】明細書
【補正対象項目名】０２１５
【補正方法】削除
【補正の内容】
【手続補正２４】
【補正対象書類名】明細書
【補正対象項目名】０２１６
【補正方法】削除
【補正の内容】
【手続補正２５】
【補正対象書類名】明細書
【補正対象項目名】０２１７
【補正方法】削除
【補正の内容】
【手続補正２６】
【補正対象書類名】明細書
【補正対象項目名】０２１８
【補正方法】削除
【補正の内容】
【手続補正２７】
【補正対象書類名】明細書
【補正対象項目名】０２１９
【補正方法】削除
【補正の内容】
【手続補正２８】
【補正対象書類名】明細書
【補正対象項目名】０２２０
【補正方法】削除
【補正の内容】
【手続補正２９】
【補正対象書類名】明細書
【補正対象項目名】０２２１
【補正方法】削除
【補正の内容】
【手続補正３０】
【補正対象書類名】明細書
【補正対象項目名】０２２２
【補正方法】削除
【補正の内容】
【手続補正３１】
【補正対象書類名】明細書
【補正対象項目名】０２２３
【補正方法】削除
【補正の内容】
【手続補正３２】
【補正対象書類名】明細書
【補正対象項目名】０２２４
【補正方法】削除
【補正の内容】
【手続補正３３】
【補正対象書類名】明細書
【補正対象項目名】０２２５
【補正方法】削除
【補正の内容】
【手続補正３４】
【補正対象書類名】明細書
【補正対象項目名】０２２６
【補正方法】削除
【補正の内容】
【手続補正３５】
【補正対象書類名】明細書
【補正対象項目名】０２２７
【補正方法】削除
【補正の内容】
【手続補正３６】
【補正対象書類名】明細書
【補正対象項目名】０２２８
【補正方法】削除
【補正の内容】
【手続補正３７】
【補正対象書類名】明細書
【補正対象項目名】０２２９
【補正方法】削除
【補正の内容】
【手続補正３８】
【補正対象書類名】明細書
【補正対象項目名】０２３０
【補正方法】削除
【補正の内容】
【手続補正３９】
【補正対象書類名】明細書
【補正対象項目名】０２３１
【補正方法】削除
【補正の内容】
【手続補正４０】
【補正対象書類名】明細書
【補正対象項目名】０２３２
【補正方法】削除
【補正の内容】
【手続補正４１】
【補正対象書類名】明細書
【補正対象項目名】０２３３
【補正方法】削除
【補正の内容】
【手続補正４２】
【補正対象書類名】明細書
【補正対象項目名】０２３４
【補正方法】削除
【補正の内容】
【手続補正４３】
【補正対象書類名】明細書
【補正対象項目名】０２３５
【補正方法】削除
【補正の内容】
【手続補正４４】
【補正対象書類名】明細書
【補正対象項目名】０２３６
【補正方法】削除
【補正の内容】
【手続補正４５】
【補正対象書類名】明細書
【補正対象項目名】０２３７
【補正方法】削除
【補正の内容】